(57)【要約】【課題】かしめ部が他の部品に接触することを避けつつ、電源コードと電線とを長めに収納可能な暖房装置を提供すること。【解決手段】暖房装置（１０）は、基部（１１）と、支柱部（１２）と、回転軸部（２１）と、この回転軸部（２１）を囲っている第１の外装材（２２）と、この第１の外装材（２２）の上方に設けられ回転軸部（２１）を中心に水平方向へスイング可能な首振り部（３１）と、この首振り部（３１）を覆い首振り部（３１）と共にスイング可能な第２の外装材（３２）と、を有する。電源コード（６０）の端部（６１ａ，６２ａ）に電線（６４，６５）の一端部（６４ａ，６５ａ）がかしめられ、電線（６４，６５）の他端部（６４ｂ，６５ｂ）は本体部（４０）に接続されている。電源コード（６０）と電線（６４，６５）とがかしめられたかしめ部（６７，６８）は、首振り部（３１）よりも下方に位置している。【選択図】図２
2018159512.tif 000002
【特許請求の範囲】
【請求項１】
基部と、この基部から立ち上げられた支柱部と、この支柱部の上端から上方に延びている回転軸部と、この回転軸部を囲っている第１の外装材と、この第１の外装材の上方に設けられ前記回転軸部を中心に水平方向へスイング可能な首振り部と、この首振り部を覆い前記首振り部と共にスイング可能な第２の外装材と、前記首振り部に支持されヒータを内蔵する本体部と、前記支柱部の内部を通され外部電源に接続可能な電源コードと、この電源コードの端部に一端部がかしめられ他端部が前記本体部に接続されている電線と、からなる暖房装置において、
前記電源コードと前記電線とがかしめられたかしめ部は、前記首振り部よりも下方に位置していることを特徴とする暖房装置。
【請求項２】
前記かしめ部は、前記支柱部の側方に位置していると共に、前記支柱部に着脱可能な第３の外装材によって覆われていることを特徴とする請求項１に記載の暖房装置。
【請求項３】
前記電源コードの前記支柱部から外部に出ている部分は、上部フック及び下部フックに掛け回すことが可能であり、
前記上部フックは、前記第１の外装材に設けられ、
前記下部フックは、前記第３の外装材に設けられていることを特徴とする請求項２に記載の暖房装置。
【発明の詳細な説明】
【技術分野】
【０００１】
本発明は、ヒータが首振り可能な暖房装置に関する。
【背景技術】
【０００２】
室内を暖める暖房装置には、ヒータが首振りするタイプのものがある。首振りタイプの暖房装置に関する従来技術として特許文献１に開示される技術がある。
【０００３】
特許文献１に開示された暖房装置は、基部と、この基部から立ち上げられた支柱部と、この支柱部の上端から上方に延びている回転軸部と、この回転軸部を囲っている第１の外装材と、この第１の外装材の上方に設けられ回転軸部を中心に水平方向へスイング可能な首振り部と、この首振り部を覆い首振り部と共にスイング可能な第２の外装材と、この第２の外装材の内部に設けられ室温を検知可能な温度センサと、首振り部に支持されヒータを内蔵する本体部と、からなる。
【０００４】
支柱部の内部には、外部電源に接続可能な電源コードが通されている。この電源コードの端部には、電線の一端部がかしめられ他端部が本体部に接続されている。
【先行技術文献】
【特許文献】
【０００５】
【特許文献１】特許第５１０７８５４号公報
【発明の概要】
【発明が解決しようとする課題】
【０００６】
ところで、修理の際に電線と電源コードとのかしめによる接続を解除する場合、電線が切断される。この切断を見込んで、電線の長さは予め長く設定される。さらに、特許文献１に開示された暖房装置において、電源コードと電線とがかしめられたかしめ部は、首振り部を覆う第２の外装材の内部に設けられることがある。即ち、長さに余裕をもたせた電線とその一端部がかしめられたかしめ部が、第２の外装材の内部に設けられる。この場合、首振り部が水平にスイングする際、首振り部、又は、第２の外装材は、かしめ部と接触する可能性がある。
【０００７】
接触を避けるために、例えば、かしめ部の近傍の電源コードを固定することが考えられるが、工程が増える。
【０００８】
加えて、かしめ部が第２の外装材の内部に配置された場合、電源コードの端部も第２の外装材の内部に位置することとなる。通電時、電源コードは発熱するため、電源コードの熱により第２の外装材の内部の温度が上昇する。
【０００９】
本発明は、かしめ部が他の部品に接触することを避けつつ、電源コードと電線とを長めに収納可能な暖房装置の提供を課題とする。
【課題を解決するための手段】
【００１０】
請求項１による発明によれば、基部と、この基部から立ち上げられた支柱部と、この支柱部の上端から上方に延びている回転軸部と、この回転軸部を囲っている第１の外装材と、この第１の外装材の上方に設けられ前記回転軸部を中心に水平方向へスイング可能な首振り部と、この首振り部を覆い前記首振り部と共にスイング可能な第２の外装材と、前記首振り部に支持されヒータを内蔵する本体部と、前記支柱部の内部を通され外部電源に接続可能な電源コードと、この電源コードの端部に一端部がかしめられ他端部が前記本体部に接続されている電線と、からなる暖房装置において、
前記電源コードと前記電線とがかしめられたかしめ部は、前記首振り部よりも下方に位置していることを特徴とする暖房装置が提供される。
【００１１】
請求項２に記載のごとく、好ましくは、前記かしめ部は、前記支柱部の側方に位置していると共に、前記支柱部に着脱可能な第３の外装材によって覆われている。
【００１２】
請求項３に記載のごとく、好ましくは、前記電源コードの前記支柱部から外部に出ている部分は、上部フック及び下部フックに掛け回すことが可能であり、
前記上部フックは、前記第１の外装材に設けられ、
前記下部フックは、前記第３の外装材に設けられている。
【発明の効果】
【００１３】
請求項１に係る発明では、支柱部の内部には、外部電源に接続可能な電源コードが通されている。この電源コードの端部には、電線の一端部がかしめられ他端部がヒータを内蔵する本体部に接続されている。電源コードと電線とがかしめられたかしめ部は、首振り部よりも下方に位置している。そのため、首振り部がスイングした時に、かしめ部は、首振り部にも第２の外装材にも接触しない。これにより、メンテナンス時に切断することを見込んで、電源コードと電線とを長めに収納することができる。換言すれば、電源コード及び電線を長めに収納しても、これらが首振り部のスイングを阻害することはない。
【００１４】
加えて、かしめ部は、第２の外装材から離されて配置されることとなる。即ち、かしめ部に接続している電源コードは第２の外装材から離されれる。そのため、電源コードの熱による第２の外装材の内部の温度上昇は抑制される。
【００１５】
請求項２に係る発明では、かしめ部は、支柱部の側方に位置していると共に、支柱部に着脱可能な第３の外装材によって覆われている。そのため、第３の外装材のみを取り外せば、かしめ部が露出する。かしめ部の近傍の電線の切断及び再びかしめる作業が容易となる。結果、暖房装置のメンテナンス性が高まる。
【００１６】
請求項３に係る発明では、電源コードの支柱部から外部に出ている部分は、上部フック及び下部フックに掛け回すことができる。上部フックは、第１の外装材に設けられ、下部フックは、第３の外装材に設けられている。上部フック及び下部フックが、共に、第１の外装材に設けられる場合と比較すると、上部フックと下部フックとの間隔は長くなる。そのため、電源コードを掛け回す回数が減り、掛け回す作業の負担が軽減される。
【図面の簡単な説明】
【００１７】
【図１】本発明の実施例による暖房装置の斜視図である。
【図２】図１の２−２線断面図である。
【図３】比較例と比較して本発明の作用を説明する図である。
【図４】比較例と比較して本発明の作用を説明する図である。
【発明を実施するための形態】
【００１８】
本発明の実施の形態を添付図に基づいて以下に説明する。なお、図中のＦｒは前（前面部側）、Ｒｒは後（背面部側）、Ｌは左、Ｒは右、Ｕｐは上、Ｄｎは下を示している。
＜実施例＞
【００１９】
図１（ａ）を参照する。図１（ａ）には、本発明の実施例による暖房装置としての電気ストーブ１０（暖房装置）が示されている。
【００２０】
この電気ストーブ１０は、床Ｆに置かれた基部１１と、この基部１１から立ち上げられた支柱部１２と、この支柱部１２の上部に固定された円柱部２０と、この円柱部２０の上部に設けられた支持部３０と、この支持部３０に支持されヒータ４１，４１を内蔵するヒータ本体部４０と、からなる。
【００２１】
ヒータ本体部４０は、発熱により遠赤外線を放射する２本のヒータ４１，４１と、放射された遠赤外線を反射させる反射板４２と、を内蔵する。ヒータ４１，４１及び反射板４２は、保護カバー４３により覆われている。保護カバー４３の上方には第１のパネル４６が設けられている。保護カバー４３の下方には第２のパネル４７が設けられている。
【００２２】
ヒータ本体部４０は、略直方体状に形成され、ヒータ４１，４１を視認可能な前面部４４と、この前面部４４に沿って設けられヒータ４１，４１の背面を覆っている背面部４５と、これらの前面部４４の上端部から背面部４５の上端部までを繋ぐ操作面部５０と、前面部４４及び背面部４５の側方の部位を繋ぐ第１の側面部４８、第２の側面部４９と、を有する。ヒータ本体部４０は、水平方向に首振り可能である。詳細は後述する。
【００２３】
操作面部５０の中央には、電源のオンオフ及びヒータ４１，４１の温度を調節可能なつまみ５１が設けられている。背面側から見てつまみ５１の右方には、電気ストーブ１０の周囲の環境に応じて運転を行うゆらぎ運転のオンオフを切替えるスイッチ５２が設けられている。また、背面側から見てつまみ５１の左方には、電気ストーブ１０の運転を切るタイマーのスイッチ５３と、本体部の首振り運転のオンオフを切替えるスイッチ５４が設けられている。
【００２４】
基部１１の後部に設けられた第１の穴１３には、外部電源に接続可能な電源コード６０が通されている。電源コード６０の支柱部１２から外部に出ている部分は、後述する上部フック２９及び下部フック８１に掛け回すことが可能である。
【００２５】
図２を併せて参照する。円柱部２０は、支柱部１２の上端から上方に延びている第１の回転軸部２１と、この第１の回転軸部２１を囲っている第１の外装材２２と、からなる。
【００２６】
第１の外装材２２は、皿形状の底部２３と、この底部２３と同一の径を有し底部２３の縁に載せられる円筒部２４と、この円筒部２４の上端を覆うように円筒部２４と一体的に形成されている上蓋部２５と、この上蓋部２５を貫通するように設けられた円筒状の配線カバー２６と、からなる。
【００２７】
底部２３は、上方に突出して支柱部１２の上端１２ａが差し込まれる第１の差込部２３ａを有する。この第１の差込部２３ａの上方には、第１の回転軸部２１の下端部２１ａが差し込まれる第２の差込部２３ｂが設けられている。
【００２８】
円筒部２４の上部には、後方に延びる上部フック２９が一体的に形成されている。上蓋部２５の中央には、下方に向かって延びる円筒状の軸支持部２５ａが設けられている。
【００２９】
第１の回転軸部２１には、上側スリーブ５６，下側スリーブ５７が取り付けられている。上側スリーブ５６，下側スリーブ５７は、共に、鍔が付けられている。第１の回転軸部２１の下端部２１ａの一部は、ねじ切りされており、下側スリーブ５７の下方に、座金２７を介してナット２８が締結されている。
【００３０】
支持部３０は、第１の外装材２２の上方に設けられ第１の回転軸部２１を中心に水平方向へスイング可能な首振り部３１と、この首振り部３１を覆い首振り部３１と共にスイング可能な第２の外装材３２と、からなる。
【００３１】
首振り部３１は、第１の外装材２２に載せられる首振り基部３３と、この首振り基部３３の縁に当接すると共に第１の回転軸部２１に回転可能に取り付けられる首振り本体部３４と、からなる。
【００３２】
首振り本体部３４の上面部３４ａには、モータ３５が取り付けられている。首振り本体部３４の下方には、モータ３５と第１の回転軸部２１を繋ぐリンク機構３６が設けられている。リンク機構３６は、周知な技術で構成される。モータ３５が駆動すると、リンク機構３６により、首振り本体部３４及び第２の外装材３２は、水平方向にスイングする。
【００３３】
さらに、首振り本体部３４の上面部３４ａには、ヒータ本体部４０を上下方向にスイング可能に保持する保持部７０が設けられている。保持部７０は、上面部３４ａに固定された固定部７１と、この固定部７１に水平方向に設けられた第２の回転軸部７２と、この第２の回転軸部７２を中心に鉛直方向にスイング可能に設けられた角度調整部７３と、からなる。角度調節部７３には、ヒータ本体部４０の支持軸部４０ａが差し込まれて固定される。
【００３４】
第２の外装材３２の上部には、電気ストーブ１０を移動する際に利用者が把持する把持部３７が設けられている。
【００３５】
電源コード６０は、第１の電源コード６１と，第２の電源コード６２とからなる。第１の穴１３（図１参照）を通された電源コード６０は、支柱部１２の内部を通されている。支柱部１２の後面部１４の上端には、第２の穴１５が形成されている。第２の穴１５には、第１の電源コード６１の端部６１ａと、第２の電源コード６２の端部６２ａが通されている。
【００３６】
第１のリード線６４（電線６４）と、第２のリード線６５（電線６５）は、配線カバー２６の内部を通されている。第１の電源コード６１の端部６１ａには、それぞれ、第１のリード線６４の一端部６４ａがかしめられ、他端部６４ｂがヒータ本体部４０に接続されている。同様に、第２の電源コード６２の端部６２ａには、第２のリード線６５の一端部６５ａがかしめられ、他端部６５ｂがヒータ本体部４０に接続されている。
【００３７】
首振り本体部３４の上面部３４ａには、室温を検知可能なサーミスタ３８（温度センサ３８）は、取り付けられている。
【００３８】
底部２３には、第３の穴１７が空けられている。第１の電源コード６１の端部６１ａと第１のリード線６４の一端部６４ａとがかしめられた第１のかしめ部６７は、第３の穴１７を通されて、底部２３の下方に位置していると共に、後面部１４の後方に位置している。同様に、第２の電源コード６２の端部６２ａと第２のリード線６５の一端部６５ａとがかしめられた第２のかしめ部６８は、第３の穴１７を通されて、底部２３の下方に位置していると共に、後面部１４の後方に位置している。
【００３９】
なお、第１のかしめ部６７，第２のかしめ部６８は、首振り部３１よりも下方に位置していればよい。例えば、第１のかしめ部６７，第２のかしめ部６８は、第１の外装材２２の内部に位置しても良い。
【００４０】
第１のかしめ部６７，第２のかしめ部６８は、支柱部１２に着脱可能な第３の外装材８０によって覆われている。第３外装材８０の上部８０ａは、第３の穴１７に差し込まれている。第３の外装材８０は、下方に向かうに連れて、後面部１４に近づくように湾曲している。
【００４１】
第３の外装材８０には、後方に延びる下部フック８１が一体的に形成されている。第３の外装材８０の下部８０ｂは、下部フック８１を挟むように２本のねじ８３，８３（右側のねじ８３のみが示されている）で支柱部１２の後面部１４にねじ止めされている。
【００４２】
次に、本発明の効果について説明する。
【００４３】
図３（ａ）を参照する。図３（ａ）には、比較例による電気ストーブ１００が示されている。図３（ｂ）に示された本発明による電気ストーブ１０と比較すると、かしめ部１１０が配置される位置が異なる。電源コード１２０とリード線１３０とがかしめられたかしめ部１１０は、首振り部３１の上方に設けられており、第２の外装材３２の内部に配置されている。
【００４４】
そのため、首振り部３１が水平方向にスイングした時に、かしめ部１１０は、第２の外装材３２に接触するおそれがある。さらに、かしめ部１１０の近傍には、サーミスタ３８が配置されている。そのため、電源コード１２０の熱は、サーミスタ３８による室温の検知に影響を与えるおそれがある。
【００４５】
図３（ｂ）を参照する。一方、本発明による電気ストーブ１０では、第１のかしめ部６７，第２のかしめ部６８は、底部２３の下方に位置している。そのため、首振り部３１が水平方向にスイングした時に、第１のかしめ部６７，第２のかしめ部６８は、首振り部３１にも第２の外装材３２にも接触しない。これにより、メンテナンス時に切断することを見込んで第１の電源コード６１，第２の電源コード６２、第１のリード線６４、第２のリード線６５を長めに収納することができる。換言すれば、第１の電源コード６１，第２の電源コード６２、第１のリード線６４、第２のリード線６５を長めに収納しても、これらが首振り部３１のスイングを阻害することはない。
【００４６】
加えて、第１のかしめ部６７，第２のかしめ部６８は、支柱部１２の後面部１４の後方に位置していると共に、支柱部１２に着脱可能な第３の外装材８０によって覆われている。そのため、第３の外装材８０のみを取り外せば、第１のかしめ部６７，第２のかしめ部６８が露出する。第１のかしめ部６７，第２のかしめ部６８の近傍のリード線６３ａ，６４ａの切断及び再びかしめる作業が容易となる。結果、電気ストーブ１０のメンテナンス性が高まる。
【００４７】
加えて、第１のかしめ部６７，第２のかしめ部６８は、第２の外装材３２の内部に設けられるサーミスタ３８から離されて配置される。即ち、かしめ部に接続している電源コード６０は第２の外装材３２から離されれる。そのため、電源コード６０の熱による第２の外装材３２の内部の温度上昇が抑制される。
【００４８】
図４（ａ）を参照する。図４（ａ）には、比較例による電気ストーブ１００が示されている。電源コード１２０が掛け回し可能な上部フック１３０、下部フック１４０は、共に、第１の外装材１５０に設けられている。
【００４９】
図４（ｂ）を参照する。一方、本発明による電気ストーブ１０では、上部フック２９は、第１の外装材２２に設けられ、下部フック８１は、第３の外装材８０に設けられている。本発明による上部フック２９と下部フック８１との間隔Ｄは、比較例による上部フック１３０と下部フック１４０との間隔ｄよりも長い。そのため、電源コード６０を掛け回す回数が減り、掛け回す作業の負担が軽減される。
【００５０】
尚、本発明の作用及び効果を奏する限りにおいて、本発明は、実施例に限定されるものではない。
【産業上の利用可能性】
【００５１】
本発明の暖房装置は、電気ストーブに好適である。
【符号の説明】
【００５２】
１０…電気ストーブ
１１…基部
１２…支柱部
１４…後面部
１７…第３の穴
２０…円柱部
２１…第１の回転軸部
２２…第１の外装材
２３…底部
２９…上部フック
３０…支持部
３１…首振り部
３２…第２の外装材
３８…サーミスタ
４０…ヒータ本体部
６０…電源コード
６１…第１の電源コード
６２…第２の電源コード
６４…第１のリード線
６５…第２のリード線
６７…第１のかしめ部
６８…第２のかしめ部
８０…第３の外装材、８０ａ…上部
８１…下部フック
【図１】
2018159512.tif 000003
【図２】
2018159512.tif 000004
【図３】
2018159512.tif 000005
【図４】
2018159512.tif 000006